(57)【要約】【課題】釣針において、釣針に突き通した餌の確実なずれ防止と、釣針の強度低下の排除とを両立させる。【解決手段】本願発明に係る釣針は、線材にて形成され、この線材の先端に針先３を備えたものについて次の構成を採る。即ち、線材の長手方向に配列された複数の凹部を有する凹凸配列部を、表面の少なくとも２箇所に備え、線材外周面にあって、一方の凹凸配列部は、他方の凹凸配列部の反対側に位置するものである。そして、両凹凸配列部は、互いの凹部の位置を、線材の長手方向について、異なるものとする。これにて、両凹凸配列部の凹部が線材長手方向について位置を同じにすることによる、線材の横断面の極端な低下を排除し得、釣針の強度の低下を回避し得た。【選択図】　　　　　図１
2004129645.tif 000002
【特許請求の範囲】
【請求項１】
線材にて形成され、この線材の先端に針先（３）　を備えた釣針において、
線材の長手方向に複数の凹部が配列され、
上記の凹部は、長手方向について少なくとも２列に配列され、両列は、線材外周面にあって、互いに反対側に位置するものであり、
一方の列の凹部は、線材の長手方向について、他方の列の凹部と異なる位置に配置されたものであることを特徴とする釣針。
【請求項２】
線材にて形成され、この線材の先端に針先（３）　を備えた釣針において、
線材の長手方向に複数の凹凸部が配列され、
上記の凹凸部は、長手方向について少なくとも２列に配列され、両列は、線材外周面にあって、互いに反対側に位置するものであり、
一方の列の凸部の少なくとも一部は、他方の列の凹部と、長手方向について重なるものであることを特徴とする釣針。
【請求項３】
線材にて形成され、この線材の先端に針先（３）　を備えた釣針において、
線材の長手方向に複数の凹凸部が配列され、
上記の凹凸部は、長手方向について少なくとも２列に配列され、両列は、線材外周面にあって、互いに反対側に位置するものであり、
一方の列の凹凸部は、線材の長手方向について、他方の列の凹凸部と異なる位置に配置されることによって、一方の列の凹凸部の凸部の少なくとも一部は、他方の列の凹部と、線材の長手方向について、重なるものであることを特徴とする釣針。
【請求項４】
上記の線材は、前後に伸びるシャンク（１）　と、シャンク（１）　の前部からシャンク（１）　上方に湾曲し先端に針先（３）　を有するフック（２）　と、シャンク（１）　後部に設けられたチモト（４）　とを備え、
上記凹凸部の列は、シャンク（１）　の左部と右部とに、或いは、シャンク（１）　の上部と下部とに、設けられたことを特徴とする請求項２又は３記載の釣針。
【請求項５】
上記の線材は、前後に伸びるシャンク（１）　と、シャンク（１）　の前部からシャンク（１）　上方に湾曲し先端に針先（３）　を有するフック（２）　と、シャンク（１）　後部に設けられたチモト（４）　とを備え、
上記凹凸部の列は、フック（２）　の左部と右部とに、設けられたことを特徴とする請求項２又は３記載の釣針。
【請求項６】
上記の線材は、前後に伸びるシャンク（１）　と、シャンク（１）　の前部からシャンク（１）　上方に湾曲し先端に針先（３）　を有するフック（２）　と、シャンク（１）　後部に設けられたチモト（４）　とを備え、
上記凹凸部の列は、フック（２）　の前部と後部とに、設けられたことを特徴とする請求項２又は３記載の釣針。
【請求項７】
上記のフック（２）　は、シャンク（１）　の先端からシャンク（１）　の上方に湾曲し針先（３）　を後方に向けることにて懐を形成しており、
フック（２）　の、少なくとも、針先（３）　から、その懐の最も深い位置即ち釣針の最前部に至る区間に、上記凹凸部の列を備え、
逆鉤が設けられていないことを特徴とする請求項５又は６記載の釣針。
【発明の詳細な説明】
【０００１】
【発明の属する技術分野】
本願発明は、釣針に関する。
【０００２】
【従来の技術】
釣りの餌が釣針からずれることを避けるために、例えば実用新案登録第３０５６５６１号公報に見られるような凹凸を備えた釣針が提案されている。
この釣針は、シャンク（軸部）と、シャンクの前部からシャンク上方に湾曲するフックとを備えるものであり、シャンクの下部に凹凸が形成されたものである（軸部の外側表面にのみ凹凸が形成されている）。
このような凹凸は、釣針に付けた餌に対して摩擦抵抗となり、ポイントに投げた際、風や着水にて、餌がずれることを防止するものである。
【０００３】
しかし、実際の釣りにおいて、シャンク（軸部）の下部（外側表面）のみに、このような凹凸を形成しても、餌のずれを防止するのには十分ではない。
即ち、確実に上記の餌のずれを防止しようとすれば、シャンク外周面の他の部位にもこのような摩擦抵抗を高める部位を形成しておくのが好ましい。
【０００４】
ところが、シャンク外周の複数の箇所にこのような凹凸を配列すれば、釣針の横断面が小さくなり、十分な強度を確保できない。
この点、上記の公報においても、認識されており、それ故、上記の通り、凹凸は、シャンクの下部にのみ形成する旨、公報中に示されている。
このように釣針の表面に餌のずれを防止する抵抗となる部位を複数設けて効果的な餌ずれ防止を図りたいにも拘らず、現状では、上記の釣針の強度確保の問題を回避できずに、上記の不完全な餌ずれ防止に甘んじている。
【０００５】
【発明が解決しようとする課題】
そこで、本願発明は、釣針に必要な強度を確保しつつ、釣針の外周面の複数の箇所に抵抗となる部位を配設することを可能として、上記の課題の解決を図るものである。
【０００６】
【課題を解決するための手段】
本願第１の発明に係る釣針は、線材にて形成され、この線材の先端に針先３を備えたものについて次の構成を採る。
即ち、線材の長手方向に複数の凹部が配列され、上記の凹部は、長手方向について少なくとも２列に配列され、両列は、線材外周面にあって、互いに反対側に位置するものである。一方の列の凹部は、線材の長手方向について、他方の列の凹部と異なる位置に配置されたものである。
【０００７】
本願第２の発明に係る釣針は、線材にて形成され、この線材の先端に針先３を備えたものについて次の構成を採る。
即ち、線材の長手方向に複数の凹凸部が配列され、上記の凹凸部は、長手方向について少なくとも２列に配列され、両列は、線材外周面にあって、互いに反対側に位置するものである。一方の列の凸部の少なくとも一部は、他方の列の凹部と、長手方向について重なるものである。
【０００８】
本願第３の発明に係る釣針は、線材にて形成され、この線材の先端に針先３を備えたものについて次の構成を採る。
即ち、線材の長手方向に複数の凹凸部が配列され、上記の凹凸部は、長手方向について少なくとも２列に配列され、両列は、線材外周面にあって、互いに反対側に位置するものである。一方の列の凹凸部は、線材の長手方向について、他方の列の凹凸部と異なる位置に配置されることによって、一方の列の凹凸部の凸部の少なくとも一部は、他方の列の凹部と、線材の長手方向について、重なるものである。
【０００９】
本願第４の発明に係る釣針では、上記本願第２又は第３の発明に係る釣針にあって、上記の線材は、前後に伸びるシャンク１と、シャンク１の前部からシャンク１上方に湾曲し先端に針先３を有するフック２と、シャンク１後部に設けられたチモト４とを備える。上記凹凸部の列は、シャンク１の左部と右部とに、或いは、シャンク１の上部と下部とに、設けられたことを特徴とする。
【００１０】
本願第５の発明に係る釣針では、上記本願第２又は第３の発明に係る釣針にあって、上記の線材は、前後に伸びるシャンク１と、シャンク１の前部からシャンク１上方に湾曲し先端に針先３を有するフック２と、シャンク１後部に設けられたチモト４とを備える。上記凹凸部の列は、フック２の左部と右部とに、設けられたことを特徴とする。
【００１１】
本願第６の発明に係る釣針では、上記本願第２又は第３の発明に係る釣針にあって、上記の線材は、前後に伸びるシャンク１と、シャンク１の前部からシャンク１上方に湾曲し先端に針先３を有するフック２と、シャンク１後部に設けられたチモト４とを備える。上記凹凸部の列は、フック２の前部と後部とに、設けられたことを特徴とする。
【００１２】
本願第７の発明に係る釣針では、上記本願第５又は第６の発明に係る釣針にあって、上記のフック２は、シャンク１の先端からシャンク１の上方に湾曲し針先３を後方に向けることにて懐を形成しており、フック２の、少なくとも、針先３から、その懐の最も深い位置即ち釣針の最前部に至る区間に、上記凹凸部の列を備え、逆鉤が設けられていないことを特徴とする。
【００１３】
本願の上記第１乃至第７の各発明では、釣針につけた餌に対して摩擦抵抗となる、線材の長手方向に沿って配列された複数の凹部の（本願第１の発明）或いは凹凸部（本願第２〜第７の発明）の列を、釣針を形成する線材の外周面において、少なくとも互いに反対に位置する２箇所に形成しておくことによって、釣針に付けた餌がずれることを確実に防止する。
特に、このように、凹部或いは凹凸部の列を、互いに線材外周面の反対側に位置させるという、餌ずれ防止のための理想の配列を採るものであっても、線材の長手方向について、両列の凹部同士の位置を完全に一致させない。従って、線材の手方向の各部において、線材の長手方向と横断する方向の横断面の最小面積が、長手方向について両列の凹部同士が一致する場合の当該凹部間の横断面の面積に比して、大きく、釣針の強度の低下を抑制した。即ち、凹部或いは凹凸部の列を線材の長手方向についてずらして配置することにより、当該凹部或いは凹凸部の列同士が長手方向について位置を同じになることによる、線材の横断面の極端な低下を排除し得、釣針の強度の低下を回避し得た。
このように、本願発明は、従来強度確保のために諦められていた、線材外周面の異なる複数の箇所に凹凸の列を設けるという、餌脱落防止のための効果的な手段の採用を、可能とした。
【００１４】
特に、本願第７の発明にあっては、餌を釣針に取付けた場合、即ち、餌を針先側から釣針チモト側に向けて通した場合、釣針に装着された後の餌が、上記のとは逆に針先側に移動しようとすると、凹凸部が餌に対して摩擦抵抗となり、そのような移動を阻止する。特に、上記の凹部或いは凹凸部とが、光を反射して、キラキラ光り、魚の食い気を誘うものである。
また特に、本願第７の発明にあっては、フック２の、針先３からその懐の最も深い位置即ち釣針の最前部に至る区間に凹凸部の列が設けられているため、餌ずれ防止のみならず、釣針に掛かった獲物をバラす（逃がす）ことを効果的に防止できる。
このため、獲物をバラすことを防止するために従来必要とされた逆鉤を排除し、魚体を傷めない。
【００１５】
【発明の実施の形態】
以下、図面に基づき本願発明の実施の形態について説明する。
図１及び図２へ、本願発明に係る釣針の一実施の形態を示す。図１（Ａ）はこの釣針の左側面図であり、図１（Ｂ）はその底面図である。図２は、図１（Ｂ）に示す釣針の一部切欠要部拡大図である。
説明の便宜上、各図中、Ｕは上方を、Ｓは下方を、Ｌは左方を、Ｒは右方を、Ｆは前方を、Ｂは後方を、夫々示している。
【００１６】
図１（Ａ）に示す通り、この釣針は、金属製の線材を加工することにて形成したものであり、前後に伸びるシャンク１と、シャンク１の前部からシャンク１上方に湾曲し先端に針先３を有するフック２と、シャンク１後部に設けられたチモト４とを備える。
以下、この釣針について詳述する。尚、チモト４側を釣針を形成する線材の基端側とし、針先３側を釣針を形成する線材の先端側とする。
【００１７】
上記の釣針は、線材の長手方向に配列された複数の凹凸を有する凹凸配列部５を、表面の少なくとも２箇所に備え、線材外周面にあって、一方の凹凸配列部５は、他方の凹凸配列部５の反対側に位置する。即ち、線材外周面にあって、一方の凹凸配列部５と他方の凹凸配列部５との間には、凹凸が形成されない未加工部１０，１０が設けられている。
この実施の形態において、凹凸配列部５，５は、上記シャンク１の左右に設けられている。また、この実施の形態において、凹凸配列部５，５の夫々は、シャンク１の前後（Ｆ，Ｂ）に伸びる。
【００１８】
図２へ示す通り、凹凸配列部５を構成する凹部５０…５０の夫々は、当たり面５１と、当該当たり面５１と隣接する逃がし面５２とにて構成されている。
当たり面５１は、釣針（を形成する線材）の基端側を臨む面であり、この実施の形態において、シャンク１表面にて釣針後方Ｂを臨む面である。
逃がし面５２は、当たり面５１に対して釣針（を形成する線材）の先端側に位置し、当たり面５１の頂部５３から釣針（を形成する線材の）先端側に向けて漸次深くなるよう、釣針の中心に向けて後退する傾斜面である（即ち、逃がし面５２は、線材の先端側から線材の後端側に向けて漸次浅くなるように形成された傾斜面である）。
この実施の形態において、凹凸配列部５の各凹部５０…５０同士は、互いに隣接して形成されており、当たり面５１は、当たり面５１の頂部５３から前方Ｆ側（線材の先端側）に隣接する他の凹部５０の基部５４に掛けて漸次深くなるよう傾斜する。換言すると、凹部５０は、当たり面５１の基部５４（一つの凹部５０についてその当たり面５１と逃がし面５２とが交差する角）を最深部とし、逃がし面５２の最も釣針（線材）先端側の位置から、当該当たり面５１の基端側に隣接する他の（凹部５０の）当たり面５１の頂部５３に掛けて漸次浅くなっている。
ここでいう頂部５３（一の凹部５０の逃がし面５２と、当該凹部５２に対して線材後方側に隣接する他の凹部５０の当たり面５１と交点）が、凹凸の凸部である。この実施の形態において、凹凸配列部５の当該頂部５３以外の部位が凹部を構成する。
【００１９】
図１（Ｂ）へ示す通り、両凹凸配列部５，５は、互いの凹部５０の位置を、線材の長手方向について、互い違いとする（一致させない）ものである。即ち、両凹凸配列部５，５において、一方の凹凸配列部５に対して他の凹凸配列部５の凹部５０…５０のピッチがずらされている。この両凹凸配列部５，５間における凹部５０…５０のずれは、１／３〜２／３ピッチとするのが好ましく、このずれは、１／２ピッチとするのが最も好ましい。
具体的には、図２へ示す通り、一方の凹凸配列部５の凹部５０…５０の基部５４は、他方の凹凸配列部５の凹部５０…５０の基部５４と、シャンク１の前後方向（Ｆ，Ｂ）について、同じ位置を採らない。この図２に示す通り、一方の凹凸配列部５の凹部５０…５０の夫々の基部５４から、釣針の中心線（一点鎖線）に向けて、垂線（二点鎖線）を下ろすと、その垂線の延長線は、他方の凹凸配列部５の凹部５０…５０の基部５４…５４の間（逃がし面５２）と交差し、当該他方の凹凸配列部５の凹部５０…５０の基部５４…５４を通らないのである。
特に、上記垂線の延長線は、他方の凹凸配列部５の凹部５０の逃がし面５２の、当たり面５１の頂部５３と基部５４との間の深さの１／３〜２／３の位置、特に、当たり面５１の頂部５３と基部５４との間の深さの１／２の位置を通るものとするのが好ましい。
このように設定して、両凹凸配列部５，５の上記各基部５４…５４の、釣針前後方向についての位置を一致させないことにより、当該位置が一致する場合に比して、釣針の横断面を著しく低減させるものではなく、釣針の強度を損なわない。従って、凹凸配列部５，５を上記の通り、２つ形成して、餌ずれ防止の効果を十分に得ることができる。
図２に示す通り、釣針（線材）の最大径ａ（直径）に対して凹部５０の深さｂは、当該最大径ａの１／１０〜１／３とするのが好ましく、１／５〜１／４とするのがより好ましい。鯛釣りに適した、最大径約１ｍｍの釣針の場合、上記凹部の深さｂは、０．２〜０．３ｍｍとするのが好ましい。
【００２０】
凹部５０…５０（凹凸配列部５，５）は、線材を曲げ加工してフック２を形成する前に、プレス加工にて、線材表面に形成する。但し、凹部５０…５０（凹凸配列部５，５）は、上記線材の曲げ加工によるフック２形成後に、プレス加工にて、形成するものとしても実施可能である。
尚、上記図１（Ａ）の６は、釣った獲物が脱落するのを防止する逆鉤を示している。また、図１（Ａ）（Ｂ）に示す通り、この実施の形態において、チモト４には、釣糸を結んだ際に、釣糸の出糸を案内する溝４０が形成されている。但しこのような溝４０は不要であれば設けずに実施することが可能である。
図１（Ｂ）へ示すように、この実施の形態において、左側の凹凸配列部５は、６つ凹部５０…５０にて構成され、右側の凹凸配列部５は、５つの凹部５０…５０にて構成されたものを図示した。両凹凸配列部５，５の各凹部５０…５０は、このような数に限定するものではなく、これよりも少ないものであって、或いは多いものであっても実施可能である。また、上記において、左右の凹凸配列部５，５が備える凹部５０…５０の数は、異なるもの（５つと６つ）であったが、左右同数としても実施可能である。但し、餌ずれ防止の効果を確実に得るために、１つの凹凸配列部５が、少なくとも３つの凹部５０を備えるように形成する。
また、この図１及び図２に示す実施の形態において、一つの凹凸配列部５の凹部５０…５０は、連続するものとしたが、これとは異なり、間欠的に凹部５０…５０が設けられ、隣接する凹部５０…５０間に未加工部を備えるものとしても実施可能である。
【００２１】
図３を用いて、他の実施の形態について説明する。図３（Ａ）はこの釣針の左側面図であり、図３（Ｂ）はその底面図であり、図３（Ｃ）は、その背面図である。
この図３に示すように、この実施の形態において、凹凸配列部５，５は、フック２の左右に形成されている。詳しくは、スリサキ３０を除く、フック２の左右全域に凹部５０…５０（凹凸配列部５，５）が形成されている。
このスリサキ３０とは、フックの針先３に向けて先窄まりとなるように形成された部位であり、当該針先３に向けて断面が漸次小さく形成された部位である。スリサキ３０は、通常、フックの針先３を頂点とする略円錐状に形成された部位である。一般に、逆鉤（図１の逆鉤６）はスリサキ３０の内側に形成される。
図１及び図２に示す実施の形態では、シャンク１（釣針）の前方Ｆと釣針を形成する線材の先端方向、シャンク１（釣針）の後方Ｂと釣針を形成する線材の基端方向とは、（シャンク１が前後に真っ直ぐなものであるため）一致していたが、フック２は、カーブする（漸次向きを変える）ものであるため、この図３に示す実施の形態において、凹凸配列部５，５は、釣針の前後方向（Ｆ，Ｂ）ではなく、線材の前後（基端−先端）方向に沿って、凹部５０…５０が配列されたものである。
【００２２】
この実施の形態において、スリサキ３０に逆鉤６は、設けられていない。これは、このようにフック２の左右に凹凸配列部５，５が設けられることにより、上記逆鉤のバラシ（獲物脱落）防止の効果を得ることができるからである。特に、逆鉤では、それ一本で獲物の脱落を防止しようと、（凹凸配列部５の凹部５０…５０に比して）大きく突出するものが用いられるため、魚（獲物）が暴れて釣針に対して体を回転させた場合、逆鉤が釣針の突き刺さっている（魚の）穴を広げて、却って魚をバラすという事態を招いた。これに対して、複数の凹部５０…５０にて魚の脱落を防止する本願発明に係る上記の釣針では、凹部５０個々の突出幅を上記の逆鉤ほど大きくする必要はなく、逆鉤を除いたことにより、釣針の突き刺さっている穴を広げて魚をバラすという事態を低減した。
但し、図３に示す釣針に、スリサキ３０に逆鉤を設けて実施してもよい。
【００２３】
図４を用いてまた他の実施の形態について説明する。図４（Ａ）はこの釣針の左側面図であり、図４（Ｂ）はその底面図であり、図４（Ｃ）は、その背面図である。
上記図３に示す実施の形態では、（凹凸配列部５，５の）凹部５０…５０は、フック２の左右全域に形成されるものであった。この他、この図４に示すように、フック２の左右の一部の区間に、上記（凹凸配列部５，５の）凹部５０…５０が設けられたものとしても実施可能である。
この図４に示す釣針では、針先３を後方に向けることにて懐を形成している上記のフック２左右の、スリサキ３０の基部２１からその懐の最も深い位置即ち釣針の最前部２０に至る区間について、上記両（凹凸配列部５，５の）凹部５０…５０が設けられている。
図３に示すようにフック２左右のほぼ全域に渡って凹部５０…５０を形成せずとも、フック２のこのような区間に設けておけば、餌ずれ防止と、獲物のバラシ防止の効果を得ることができる。従って、この場合もスリサキ３０に逆鉤を設けずに実施することができ、逆鉤による既述の問題、即ち、回転にて獲物に大きな穴を開けることになり却って脱落しやすくなるという問題を回避することができる。
【００２４】
上記図４に示す実施の形態において、逆鉤を不要とする、凹凸配列部５の最小の構成を図５に示す。この釣針は、図５に示す通り、フック２左右の線材長手方向（線材の基端−先端方向）について、スリサキ３０の基部２１から、スリサキ３０の基部２１と上記最前部２０との中間位置２２に至る区間に、凹凸配列部５，５を備える。少なくとも、このような区間に凹部５０…５０を形成することによって、逆鉤を不要とすることができる。
【００２５】
図６へ更に他の実施の形態を示す。図６（Ａ）はこの釣針の左側面図であり、図６（Ｂ）はその底面図であり、図６（Ｃ）は、その背面図である。
この釣針は、図示の通り、釣針のシャンク１とフック２の双方の左右に連続するように、凹凸配列部５，５を設けたものである。即ち、釣針の左右のスリサキ３０とチモト４以外の部位に凹部５０…５０が配列されたものである。
このように、釣針左右のほぼ全域に渡って凹凸配列部５，５を形成することにより、より顕著な、餌ずれ防止と、魚脱落防止の効果、更には逃がし面５２…５２の反射による魚へのアピールの効果を奏することができる。
【００２６】
上記の各実施の形態において、釣針の横断面は、円形であり、この円周から当該円の中心に向けた後退部分として、凹部５０（の逃がし面５２）を形成した。
この他、図７に示すように、釣針の横断面について、その左右方向Ｌ，Ｒの幅よりも当該左右方向Ｌ，Ｒと交差する方向（シャンク１にあっては上下方向Ｕ，Ｓ）の幅が大きな楕円としても、釣針の強度確保の上で効果的である。即ち、巻き上げの際の水の抵抗や、釣った魚から受ける力は、釣針の懐を開こうとする方向に強く働くので、釣針の左右方向との交差方向について、円形の断面（点線）の場合よりも厚みを有する肉厚部１１，１１を形成することにより、凹部５０…５０の存在によっても、更に十分な強度を確保することができる。尚、この図７に示す構成は、図１乃至図６に示す何れの釣針においても、採用することができる。
【００２７】
上記の各実施の形態において、凹凸配列部５，５は、釣針の左右に設けられたものを示した。この他、シャンク１の上下或いはフック２の前後に凹凸配列部５，５を設けて実施することも可能である。
上記の各実施の形態において、釣針を形成する線材の横断面の形状は、円形或いは楕円形などの全体に丸みを帯びたのものである。この他、線材の横断面の形状は、多角形であっても実施可能である。例えば図８に示すように、六角形の横断面形状を有する線材にて、釣針を形成するものとし、六角形の一面に、凹凸配列部５が設けられ、当該面と反対側に位置する面にも凹凸配列部５が設けられたものとして実施可能である。この場合、線材は、横断面が上記の六角形のものに限定するものではなく、四角形や八角形など、六角形以外の多角形状のものであっても実施可能である。
尚、特に言及した事項以外の構成については、図３乃至図７に示す釣針も、図１及び図２に示す実施の形態の釣針と同様である。
【００２８】
ここで上述したきた各実施の形態について、総括すると、この釣針は、線材にて形成され、この線材の先端に針先３を備えたものであり、線材の長手方向に配列された複数の凹部５０…５０を有する凹凸配列部５を、表面の少なくとも２箇所に備え、線材外周面にあって、一方の凹凸配列部５は、他方の凹凸配列部５の反対側に位置するものである。そして、両凹凸配列部５，５は、互いの凹部５０…５０の位置を、線材の長手方向について、異なるものとする。これにて、両凹凸配列部５，５の凹部５０…５０が線材長手方向について位置を同じにすることによる、線材の横断面の極端な低下を排除し得、釣針の強度の低下を回避し得た。
特に、凹凸配列部５の凹部５０の夫々を、線材基の端側を臨む当たり面５１と、当該当たり面５１に対して線材の先端側に位置する逃がし面５２とを備えるものとし、逃がし面５２を、線材の先端側から基端側に掛けて漸次浅くなる傾斜面とすることによって、餌を釣針に取付ける場合、即ち、餌を針先側から釣針チモト側に向けて通す場合、傾斜する逃がし面５２にて凹部５０に邪魔されずに、餌の移動が円滑に行える。そして釣針に装着された後の餌が、上記とは逆に針先側に移動しようとすると、当たり面５１が餌に当たって抵抗となり、そのような移動を阻止する。特に、上記の傾斜面として形成された逃がし面５２が、光を反射して、キラキラ光り、魚の食い気を誘うものである。また、フック２の、針先３からその懐の最も深い位置即ち釣針の最前部に至る区間に両凹凸配列部５，５を設けることによって、餌ずれ防止のみならず、釣針に掛かった獲物をバラす（逃がす）ことを効果的に防止できる。このため、獲物をバラすことを防止するために従来必要とされた逆鉤を排除することができ、当該逆鉤の排除によって、魚体を傷めない。
このように、上記の各実施の形態において、凹部５０は、線材基端側を臨む当たり面５１と、当たり面５３頂部から線材先端側に傾斜する逃がし面５２とにて構成された側面視略三角形状のものとしたが、他の凹凸形状を採るものであっても実施可能である。例えば、実用新案登録第３０５６５６１号公報に見られるような側面視略矩形状の凹凸形状を採るものであっても実施可能であり、他の多角形或いは曲線形状を採るものであっても実施可能である。
【００２９】
以下、凹部５０の配列、形状について、他の実施の形態を順に説明する。
図１〜７に示す実施の形態では、頂部５３（凸部）は、当たり面５１と隣接する凹部５の逃がし面５２の交点であった。この他、図９（Ａ）に示すように、頂部は、点ではなく、線材（釣針）の前後に幅を有する、側面視において、線材の中心線（一点鎖線）と平行な線状部分として実施することも可能である。即ち、隣り合う凹部５０，５０間に、間隔ｄが明けられたものであっても実施可能である。この凹部５０，５０間の間隔ｄは、凹部５０の線材の前後方向Ｆ，Ｂについての幅ｃの１／１０〜１／２とするのが好ましく、１／５〜１／３とするのが、より好ましい。
【００３０】
既述の各実施の形態において、逃がし面５２は、線材の中心線（一点鎖線）に対してほぼ直角の角度をなすものであった。この他、図９（Ｂ）へ示す通り、逃がし面５２は、中心線に対して鋭角θをなし、最深部５４が当該逃がし面５２の頂部５３よりも、線材の長手方向の前方Ｆに位置するものとしても実施可能である。
【００３１】
図１０（Ａ）へ示す通り、凹部５０の当たり面５１と逃がし面５２とは、最深部５４から線材の中心線に下ろした垂線について、前後対称となるように傾斜するものであっても実施可能である。即ち、個々の凹部５０の当たり面５１と逃がし面５２とは、Ｖ字型の谷を形成するものであっても実施可能である。この場合、一方の凹凸配列部５の凹部５０の最深部５４と、他方の凹凸配列部５の凹部５０の最深部５４とは、線材の長手方向について、異なる位置にあり、一致しない。即ち、両凹凸配列部５，５の凹部５０は、ピッチをずらして配列されている。図示の通り、一方の凹凸配列部５の凹部５０の最深部５４は、他方の凹凸配列部５の凹部５０の頂部５３と、線材の長手方向についての位置が一致するものであっても実施可能であり、一致しないものであっても実施可能である。
また、図１０（Ａ）に示す実施の形態では、頂部５３（凸部）は、当たり面５１と隣接する凹部５０の逃がし面５２の交点であった。この他、図１０（Ｂ）に示すように、頂部は、点ではなく、線材（釣針）の前後（長手方向）に幅を有するものとし、側面視において、線材の中心線（一点鎖線）と平行な線状部分として実施することも可能である。即ち、隣り合う凹部５０，５０間に、間隔が明けられたものであっても実施可能である。また、図１１へ示す通り、頂部５３のみならず、凹部５０の最深部５４も、点ではなく、線材（釣針）の前後（長手方向）に幅を有するものとし、側面視において、線材の中心線（一点鎖線）と平行な線状部分として実施することも可能である。この場合、一方の凹凸配列部５の凹部５０の最深部５４は、線材長手方向について、他方の凹凸配列部５の凹部５０の頂部５３と重なる。
【００３２】
既述の各実施の形態において、凹部５０は、夫々表面が平らな当たり面５１と逃がし面５２とにて構成されるものであった。即ち、この他、図１２（Ａ）へ示す通り、凹部５０は、線材の長手方向について、円弧状の輪郭を有するものとしても実施可能である。この場合、当たり面５１と逃がし面５２は、夫々１／４円弧を担い、双方併せて半円径状の凹部５０を呈する。但し、当該円弧は、正円に限定するものではなく、長円或いは楕円であっても実施可能である。
この図１２（Ａ）に示す実施の形態では、隣り合う凹部５０，５０同士は隣接し、頂部５３の夫々は、凹部５０，５０が呈する円弧の交差点である。この他、図１２（Ｂ）へ示す通り、隣り合う凹部５０，５０間に、間隔が設けられ、頂部５３は、線材の長手方向に伸びる線状の輪郭を備える（線材の長手方向に幅を有する）ものとしても実施可能である。
上記図１２（Ａ）に示す実施の形態にあって、一方の凹凸配列部５の凹部５０の最深部５４は、他方の凹凸配列部５の凹部の頂部５３と、線材の長手方向について一致する。但し図１３へ示すように、一方の凹凸配列部５の凹部５０の最深部５４は、他方の凹凸配列部５の凹部の頂部５３と、線材の長手方向について一致しないものとしても実施可能である。即ち、両凹凸配列部５，５は、半ピッチずれたものとして図１２（Ａ）に示す通り、実施することも可能であり、また、図１３へ示すように、半ピッチより大きく或いは小さくずれたものとしても実施可能である。
この図１３に示す通り、両凹凸配列部５，５のピッチを同じにて両凹凸配列部５，５の凹部５０，５０の最深部５４，５４の線材長手方向の位置が一致するものとした場合の当該最深部５４，５４間の幅ｔ１よりも、ピッチをずらした場合の一方の凹凸配列部５の凹部５０の最深部５４と他方の凹凸配列部５の凹部５０の内面との間の最短距離ｔは、（ｔ２分）大きい。また、ピッチをずらした場合の最深部５４，５４間の幅ｔ３も、ピッチを同じにした場合の最深部５４，５４間の幅ｔ１よりも大きい。従って、正確に半ピッチをずらすものでなくても、ピッチをずらすことによって、ピッチが一致する場合よりも、線材の最小横断面積を大きくすることができる。これにて、複数列の凹部の形成による釣針の強度の低下を抑制することができる。
【００３３】
図１４（Ａ）に示すように、両凹凸配列部５，５の凹部５０は、円弧ではなく、サイン波（正弦波）状のものであっても実施可能ある。
また、図１４（Ｂ）へ示す通り、凹部５０の当たり面５１と逃がし面５２は、凹曲面ではなく、凸曲面として形成することも可能である。この図１４（Ｂ）に示す実施の形態では、最深部５４は、線材長手方向について幅を有するものであるが、当たり面５１と逃がし面５２の交点として、そのような幅を持たないものとしても実施可能である（図示しない）。
【００３４】
上記図１〜図１４に示す各実施の形態において、一方の凹凸配列部５の凹部５０と他方の凹凸配列部５の凹部の大きさ・形状は同じものである。この他、一方の凹凸配列部５の凹部５０と他方の凹凸配列部５の凹部の大きさ或いは形状異なるものとしても実施可能である。
例えば、図１５へ示す通り、図１２（Ｂ）に示す釣針において、一方の凹凸配列部５の凹部５０と、他方の凹凸配列部５の凹部５０の大きさが異なるものとしても実施可能である。この場合も、両凹凸配列部５，５の凹部５０，５０の最深部５４，５４同士が、線材の長手方向について、異なる位置にある。
【００３５】
また、上記の各実施の形態おいて、一つの凹凸配列部５において、各凹部５…５のピッチは、一定とした。この他、一つの凹凸配列部５において、凹部５…５のピッチが一定でなく、徐々にピッチが変化するもの、或いは異なる複数種のピッチで配列されたものが混在するものであっても実施可能である。
図９〜図１５に示す実施の形態において、釣針のシャンク１の上下に凹凸配列部５，５が設けられたものを示したが、シャンク１の左右に凹凸配列部５，５が設けられても実施可能である。この他、フック２に凹凸配列部５，５が設けられたものであっても実施可能である。また、フック２に凹凸配列部５，５を設ける場合、図３〜図６へ示すものと同様フック２の左右の面に設けるものとしてもよく、この他、フック２の前後の面に設けるものとしても実施可能である。
【００３６】
上記の図９〜図１５に示す実施の形態において、特に明示しなかった構成については、図１〜図９に示した実施の形態と同様である。
【００３７】
最後に、この釣針によるメリットを纏めて述べると、釣針につけた餌に対して摩擦抵抗となる、複数の凹部５０…５０を備えた凹凸配列部５を、釣針を形成する線材の外周面において、少なくとも互いに反対に位置する２箇所に形成しておくことによって、釣針に付けた餌がずれることを確実に防止する。
特に、このように、両凹凸配列部５，５を、互いに線材外周面の反対側に位置させるという、餌ずれ防止のための理想の配列を採るものであっても、両凹凸配列部５，５双方の凹部５０…５０を、線材長手方向について互い違いとなるように配置することによって、両段凹凸列部５，５の凹部５０…５０が線材長手方向について位置を同じにすることによる、線材の横断面の極端な低下を排除し得、釣針の強度の低下を回避し得た。
即ち、従来強度確保のために諦められていた、線材外周面の異なる複数の箇所に抵抗部（凹凸配列部５）を設けるという、餌脱落防止のための効果的な手段の採用を、可能とした。
【００３８】
【発明の効果】
本願の第１〜７の発明の実施によって、従来不可能とされた、釣針に突き通した餌の確実なずれ防止と、釣針の強度の確保とを両立し得た。
【図面の簡単な説明】
【図１】（Ａ）は本願発明に係る釣針の一実施の形態の左側面図であり、（Ｂ）はその底面図である。
【図２】図１（Ａ）の一部切欠要部拡大図である。
【図３】（Ａ）は釣針の他の実施の形態の左側面図であり、（Ｂ）はその底面図であり、（Ｃ）は背面図である。
【図４】（Ａ）は釣針の更に他の実施の形態の左側面図であり、（Ｂ）はその底面図であり、（Ｃ）は背面図である。
【図５】また更に他の実施の形態の釣針の左側面図である。
【図６】（Ａ）は釣針の、また更に他の実施の形態の左側面図であり、（Ｂ）はその底面図であり、（Ｃ）は背面図である。
【図７】更にまた他の実施の形態の横断面図である。
【図８】他の実施の形態の横断面図である。
【図９】（Ａ）は釣針の他の実施の形態の一部切欠左側面図であり、（Ｂ）は釣針のまた他の実施の形態の一部切欠左側面図である。
【図１０】（Ａ）は釣針のまた他の実施の形態の一部切欠左側面図であり、（Ｂ）は釣針の更に他の実施の形態の一部切欠左側面図である。
【図１１】釣針の他の実施の形態の一部左側面図である。
【図１２】（Ａ）は釣針のまた他の実施の形態の一部切欠左側面図であり、（Ｂ）は釣針の更に他の実施の形態の一部切欠左側面図である。
【図１３】釣針の他の実施の形態の一部切欠左側面図である。
【図１４】（Ａ）は釣針のまた他の実施の形態の一部切欠左側面図であり、（Ｂ）は釣針の更に他の実施の形態の一部切欠左側面図である。
【図１５】釣針の他の実施の形態の一部切欠左側面図である。
【符号の説明】
１　　シャンク
２　　フック
３　　針先
４　　チモト
【図１】
2004129645.tif 000003
【図２】
2004129645.tif 000004
【図３】
2004129645.tif 000005
【図４】
2004129645.tif 000006
【図５】
2004129645.tif 000007
【図６】
2004129645.tif 000008
【図７】
2004129645.tif 000009
【図８】
2004129645.tif 000010
【図９】
2004129645.tif 000011
【図１０】
2004129645.tif 000012
【図１１】
2004129645.tif 000013
【図１２】
2004129645.tif 000014
【図１３】
2004129645.tif 000015
【図１４】
2004129645.tif 000016
【図１５】
2004129645.tif 000017